【手続補正書】
【提出日】平成24年7月24日(2012.7.24)
【手続補正１】
【補正対象書類名】特許請求の範囲
【補正対象項目名】全文
【補正方法】変更
【補正の内容】
【特許請求の範囲】
【請求項１】
ユーザに対して立体デジタルビデオを表示するシステムであって、
第１の視野画像と第２の視野画像との差から導出されるデルタイメージが存在するか否かを示すデータをそれぞれが有する複数のヘッダと、それぞれが対応する前記ヘッダを有する複数の前記第１の視野画像とを有する一以上のビデオストリームを受信する受信手段と、
前記データを有する前記ヘッダを読み出して、前記一以上のビデオストリームが前記第１の視野画像と前記第２の視野画像との差から導出される前記デルタイメージも有するか否かを判定し、前記デルタイメージが存在することを前記ヘッダの前記データが示している場合には前記デルタイメージおよび前記第１の視野画像から前記第２の視野画像を構成するデコーダと、
前記第１の視野画像および前記第２の視野画像による立体デジタルビデオを出力するビデオ出力手段と、
を備えるシステム。
【請求項２】
前記システムが、ケーブルシステム、高品位テレビジョンシステム、衛星テレビジョンシステム、光ディスクシステム、ＤＶＤシステム、およびデジタルテレビシステムのうちの少なくとも一つの一部である、
請求項１に記載のシステム。
【請求項３】
前記一以上のビデオストリームがタイムコードを有する、
請求項１に記載のシステム。
【請求項４】
前記第１の視野画像のフレームおよび前記第２の視野画像のフレームが高品位ディスプレイまたは立体視覚システムに出力される、
請求項１に記載のシステム。
【請求項５】
前記デコーダが前記デルタイメージを前記第１の視野画像に加算することで前記第２の視野画像を構成する、
請求項１に記載のシステム。
【請求項６】
前記デコーダが前記ヘッダの所定のビット集合を読み出して、前記一以上のビデオストリームがデルタイメージを有するか否かを判定する、
請求項１に記載のシステム。
【請求項７】
前記デルタイメージが、デルタイメージに特有のビデオストリームデータ内に格納される、
請求項１に記載のシステム。
【請求項８】
前記デルタイメージがＰタイプイメージまたはＢタイプイメージのフレームを有する、
請求項１に記載のシステム。
【請求項９】
前記一以上のビデオストリームが複数のビデオストリームを有する、
請求項１に記載のシステム。
【請求項１０】
前記デコーダが前記ヘッダおよび前記第１の視野画像を第１のビデオストリームから読み出し、前記デルタイメージを所定のデータ構造から読み出す、
請求項１に記載のシステム。
【請求項１１】
前記デルタイメージが、前記第１の視野画像と前記第２の視野画像との差を測定することで算出される複数の動きベクトルを含む、
請求項１に記載のシステム。
【請求項１２】
立体デジタルビデオを復号するシステムであって、
第１の視野画像と第２の視野画像との差から導出されるデルタイメージが存在するか否かを示すデータをそれぞれが有する複数のヘッダと、それぞれが対応する前記ヘッダを有する複数の前記第１の視野画像とを有する一以上のビデオストリームを受信する受信手段と、
前記データを有する前記ヘッダを読み出して、前記一以上のビデオストリームが前記第１の視野画像と前記第２の視野画像との差から導出される前記デルタイメージも有するか否かを判定し、前記デルタイメージが存在することを前記ヘッダの前記データが示している場合には前記デルタイメージおよび前記第１の視野画像から前記第２の視野画像を構成する構成手段と、
前記第１の視野画像および前記第２の視野画像による立体デジタルビデオを出力するビデオ出力手段と、
を備えるシステム。
【請求項１３】
前記ビデオ出力手段が、前記立体デジタルビデオを高品位ディスプレイまたは立体視覚システムに出力する、
請求項１２に記載のシステム。
【請求項１４】
前記構成手段が、前記ヘッダおよび前記第１の視野画像を第１のビデオストリームから読み出し、前記デルタイメージを所定のデータ構造から読み出す、
請求項１２に記載のシステム。
【請求項１５】
前記構成手段が前記デルタイメージを前記第１の視野画像に加算することで前記第２の視野画像を構成する、
請求項１２に記載のシステム。
【請求項１６】
前記デルタイメージがＰタイプイメージまたはＢタイプイメージを有する、
請求項１２に記載のシステム。
【請求項１７】
前記一以上のビデオストリームがＭＰＥＧ互換のビデオストリームである、
請求項１２に記載のシステム。
【請求項１８】
前記一以上のビデオストリームが複数のビデオストリームを有する、
請求項１２に記載のシステム。
【請求項１９】
前記デルタイメージが、デルタイメージに特有の所定の構造体に格納される、
請求項１２に記載のシステム。
【請求項２０】
前記第１の視野画像がＰタイプイメージである、
請求項１２に記載のシステム。
【請求項２１】
前記構成手段がディジタル信号プロセッサにより実行される、
請求項１２に記載のシステム。
【請求項２２】
前記デルタイメージが、前記第１の視野画像と前記第２の視野画像との差を測定することで算出される複数の動きベクトルを含む、
請求項１に記載のシステム。
【請求項２３】
立体デジタルビデオを復号する方法であって、
第１の視野画像と第２の視野画像との差から導出されるデルタイメージが存在するか否かを示すデータをそれぞれが有する複数のヘッダと、それぞれが対応する前記ヘッダを有する複数の前記第１の視野画像とを有する一以上のビデオストリームを受信する受信ステップと、
前記データを有する前記ヘッダを読み出して、前記一以上のビデオストリームが前記第１の視野画像と前記第２の視野画像との差から導出される前記デルタイメージも有するか否かを判定し、前記デルタイメージが存在することを前記ヘッダの前記データが示している場合には前記デルタイメージおよび前記第１の視野画像から前記第２の視野画像を構成する構成ステップと、
前記第１の視野画像および前記第２の視野画像による立体デジタルビデオを出力する出力ステップと、
を含む方法。
【請求項２４】
前記立体デジタルビデオが高品位ディスプレイまたは立体視覚システムに出力される、
請求項２３に記載の方法。
【請求項２５】
前記ヘッダおよび前記第１の視野画像が第１のビデオストリームから読み出され、前記デルタイメージが所定のデータ構造から読み出される、
請求項２３に記載の方法。
【請求項２６】
前記デルタイメージが前記第１の視野画像に加算されることで前記第２の視野画像が構成される、
請求項２３に記載の方法。
【請求項２７】
前記一以上のビデオストリームがＭＰＥＧ互換のビデオストリームである、
請求項２３に記載の方法。
【請求項２８】
前記デルタイメージがＰタイプイメージまたはＢタイプイメージを有する、
請求項２７に記載の方法。
【請求項２９】
前記一以上のビデオストリームが複数のビデオストリームを有する、
請求項２３に記載の方法。
【請求項３０】
前記デルタイメージが、デルタイメージに特有の所定の構造体に格納される、
請求項２３に記載の方法。
【請求項３１】
前記第１の視野画像がＰタイプイメージである、
請求項２３に記載の方法。
【請求項３２】
前記デルタイメージが、前記第１の視野画像と前記第２の視野画像との差を測定することで算出される複数の動きベクトルを含む、
請求項２３に記載の方法。
【請求項３３】
ユーザに対して立体デジタルビデオを表示するシステムであって、
第１のビデオストリーム及び第２のビデオストリームを受信する受信手段であって、該第１のビデオストリームが第１の視野画像と、複数のビットを含むヘッダとを有し、該第２のビデオストリームが差分を有し、該差分が該第１の視野画像と第２の視野画像との差を判定することにより算出される、該受信手段と、
ビデオストリームを復号するデコーダと、
前記受信手段に記憶され、デジタルビデオが立体デジタルビデオではないことを前記デコーダに指示する第１のビットパターンと、
前記受信手段に記憶され、デジタルビデオが立体デジタルビデオであることを前記デコーダに指示する第２のビットパターンであって、該デコーダが、
前記第１のビデオストリーム内の前記ヘッダを受信して該ヘッダ内の前記複数のビットを読み出し、
読みだした前記複数のビットを前記第１のビットパターン及び前記第２のビットパターンと比較し、
受信した前記ヘッダが、前記第２のビットパターンに一致するビット列を含んでいる場合には、前記第１の視野画像と、前記差分を該第１の視野画像と比較することで形成された、復号された第２の視野画像とを有する立体デジタルビデオを出力する、
該第２のビットパターンと、
前記立体デジタルビデオを出力するビデオ出力手段と、
を備えるシステム。
【請求項３４】
前記差分がＰタイプイメージまたはＢタイプイメージのフレームを有する、
請求項３３に記載のシステム。
【請求項３５】
前記第１のビデオストリーム及び前記第２のビデオストリームがタイムコードを有する、
請求項３３に記載のシステム。
【請求項３６】
前記第１のビデオストリーム及び前記第２のビデオストリームがＭＰＥＧ互換のビデオストリームである、
請求項３３に記載のシステム。
【請求項３７】
前記ヘッダが、デジタルビデオのアスペクト比を示すビット列を更に有する、
請求項３３に記載のシステム。
【請求項３８】
前記アスペクト比を示すビット列が、立体デジタルビデオのアスペクト比を示す第１のビット集合と、二次元デジタルビデオのアスペクト比を示す第２のビット集合とを有する、
請求項３７に記載のシステム。
【請求項３９】
ユーザに対して二次元デジタルビデオ又は立体デジタルビデオを表示する方法であって、
一以上のビデオストリームを受信する受信ステップであって、該一以上のビデオストリームが第１の視野画像と、複数のビットを含むヘッダとを有する、該受信ステップと、
前記ヘッダの前記複数のビットを読みだす読出ステップと、
受信された前記複数のビットを第１のビット集合及び第２のビット集合と比較する比較ステップであって、該第１のビット集合が、前記一以上のビデオストリーム内に差分が存在しないことを示し、該第２のビット集合が、前記一以上のビデオストリーム内に差分が存在することを示し、前記差分が前記第１の視野画像と第２の視野画像との差を判定することにより算出される、該比較ステップと、
受信された前記ヘッダが前記第１のビット集合と一致する場合に二次元デジタルビデオを出力する第１出力ステップと、
受信された前記ヘッダが前記第２のビット集合と一致する場合に立体デジタルビデオを出力する第２出力ステップであって、該立体デジタルビデオが、前記第１の視野画像と、前記差分を該第１の視野画像に加算することで形成された、復号された第２の視野画像とを有する、第２出力ステップと、
を含む方法。
【請求項４０】
前記差分がＰタイプイメージまたはＢタイプイメージを有する、
請求項３９に記載の方法。
【請求項４１】
前記第１の視野画像がＰタイプイメージである、
請求項３９に記載の方法。
【請求項４２】
前記一以上のビデオストリームがＭＰＥＧ互換のビデオストリームである、
請求項３９に記載の方法。